(57)【特許請求の範囲】
【請求項１】
縦樋の上端に流入口、下部に流出口を設けると共に、流入口と流出口との間に濾過室を設け、該濾過室に超高分子量ポリエチレンを焼結成形して筒壁に５０〜３００μｍの無数の微細孔を有する筒状フイルターを垂直状態で着脱自在に差し渡し、流入口から流入した雨水を前記筒状フイルターの筒壁の内周側から外周側、又は外周側から内周側に通過させて濾過した雨水を流出口から排出し、筒状フイルターで捕捉されて落下した夾雑物をドレン抜き穴から排出することを特徴とする雨水浄化縦樋。
【発明の詳細な説明】
【０００１】
【発明の属する技術分野】
本発明は、雨水を捕集して水槽などに導く際に、雨水中に混入している塵埃や砂等の夾雑物を補捉して濾過できる雨水浄化縦樋に関する。
【０００２】
【従来の技術】
近年、建物の軒樋で捕集した雨水を水槽に導いて貯溜し、トイレの水洗や洗車を行なう際の用水として使用したり、庭木や花壇への散水に使用したり、あるいは非常災害時の用水として使用することが行われている。
【０００３】
【発明が解決しようとする課題】
ところが、軒樋で捕集した雨水には、塵埃や砂等の夾雑物が混入しているため、雨水を濾過しないと使用できないことがあった。また、雨水を長期間に亘って水槽に貯溜し、これを非常災害時の用水として使用する場合には、藻類や雑菌が繁殖するという安全衛生上の問題があった。
【０００４】
本発明は、かかる課題を解決したものであって、軒樋で捕集した雨水を水槽などに導く際に塵埃や砂等の夾雑物を補捉して濾過できると共に、必要に応じ雨水を殺菌して長期間に亘って藻類や雑菌の繁殖を未然に防止できる雨水浄化縦樋を提供することを目的とする。
【０００５】
【課題を解決するための手段】
上記の目的を達成するため、本発明の雨水浄化縦樋は、縦樋の上端に流入口、下部に流出口を設けると共に、流入口と流出口との間に濾過室を設け、該濾過室に超高分子量ポリエチレンを焼結成形して筒壁に５０〜３００μｍの無数の微細孔を有する筒状フイルターを垂直状態で着脱自在に差し渡し、流入口から流入した雨水を前記筒状フイルターの筒壁の内周側から外周側、又は外周側から内周側に通過させて濾過した雨水を流出口から排出し、筒状フイルターで捕捉されて落下した夾雑物をドレン抜き穴から排出することを特徴とする。
【０００６】
本発明は、縦樋自体に雨水浄化装置を組み込んだことを特徴とするので、濾過や殺菌のための場所を必要とせずに充分な落差および長さを確保することにより、清浄な雨水を効率的に回収することができ、これを清浄な用水として使用でき、また水槽に貯溜して、非常災害時の用水として使用する場合も藻類や雑菌の繁殖を抑えることができる。
【０００７】
【発明の実施の形態】
以下、本発明の実施の形態を図面にて詳細に説明する。
【０００８】
図１は本発明の一実施例を示す雨水浄化縦樋の概略断面図、図２は本発明の他の実施例を示す雨水浄化縦樋の概略断面図、図３は図２のIII-III 概略断面図である。
【０００９】
本発明は図１〜３に示すように、縦樋１に、雨水２を濾過する機能を有する雨水浄化装置３を組み込んだことを特徴とする雨水浄化縦樋である。
【００１０】
まず、図１に示した雨水浄化縦樋について説明する。
【００１１】
縦樋１は、組み込む雨水浄化装置３の大きさや構造に応じた形状や充分な径を有するものであればよく、上端には通常の縦樋１０が接続できる流入口１１を設けてあり、屋根、軒樋、縦樋１０を経由して捕集された雨水２はこの流入口１１から流入する。
【００１２】
流入口１１は以下、縦樋１に組み込まれた雨水浄化装置３に一体化して連続する。
【００１３】
雨水浄化装置３は流入口１１の下方に初期雨水分離部３０を備える。
この初期雨水分離部３０は流入口１１の下方に広がって連続する肩壁３１と、流入口１１の真下に間隙１２をおいて立ち上げるように配置したオーバーフロー筒３２、オーバーフロー筒３２を取り囲むように形成してある前室３３、および前室３３下部のオーバーフロー口３４とを有する。
【００１４】
このため、降り始めで流量が少ない雨水２は表面張力によって矢印２１のように流入口１１壁面から間隙１２の間を肩壁３１内面を伝わって前室３３に流入し、オーバーフロー口３４から排出され、そして雨量が大きくなると表面張力に勝った雨水２が垂直に落下してオーバーフロー筒３２に受け入れられてつぎの工程に流入する。このようにして屋根に滞積した汚れなどを特に多く含んだ初期雨水を分離することができる。
【００１５】
前室３３の下部には、貯留室３５、濾過室３６、下部室３７がそれぞれ上部仕切板３５１および下部仕切板３６１により区画されて形成されており、濾過室３６下部には流出口３６２が、下部室３７にはドレン抜き取り口３７２がそれぞれ設けられている。
【００１６】
濾過室３６を構成している上部仕切板３５１および下部仕切板３６１の間には複数本の筒状フイルター４が垂直状態で着脱自在に差し渡されている。各筒状フイルター４の上下の端部は開口しており、それぞれ貯留室３５、下部室３７と連通している。
【００１７】
前記筒状フイルター４は、例えば粒径が５〜１０００μｍ程度の超高分子量ポリエチレンを焼結成形して円筒形などの筒状に形成したものを使用でき、必要に応じて粒径が１〜３μｍのゼオライト固体粒子に銀，銅等の金属イオンを担持させたものを前記超高分子量ポリエチレンに添加しておいてもよい。
【００１８】
この筒状フイルター４の筒壁には５０〜３００μｍ程度の無数の微細孔が形成されており、この微細孔により濾過機能を発揮するものであり、ゼオライト固体粒子に銀，銅等の金属イオンを担持させたものを添加した場合は、筒壁の内外周面及び無数の微細孔にゼオライト固体粒子が露出した状態となって、殺菌機能も合わせ有する。
【００１９】
通常、筒状フイルター４のサイズとしては、外径が２０〜１００ｍｍ、長さが３００〜５，０００ｍｍのものが好適に使用できる。
【００２０】
本実施例における雨水浄化装置３では、流入口１１から落下して、オーバーフロー筒３２を通過した雨水２は、貯留室３５に流入してさらに各筒状フイルター４を通過して下部室３７に流入する。
【００２１】
そして雨水２が下部室３７に溜まってさらに筒状フイルター４内に水面が上昇すると、雨水２は各筒状フイルター４の筒壁を内周側から外周側にしみだすように通過し、外側の濾過室３６に流入する。
【００２２】
このとき筒状フイルター４の無数の微細孔によって雨水２中に混入している塵埃や砂等の夾雑物が補捉されると共に、雨水２は無数の微細孔等から露出したゼオライト固体粒子と接触して殺菌されるため、水槽内に長期間に亘って貯溜されることがあっても、藻類や雑菌が繁殖することはない。
【００２３】
濾過室３６に流入した雨水２は、流出口３６２から水槽などに導き、清浄な用水として各種用途に使用できる。
【００２４】
一方、各筒状フイルター４により補捉されて内周側に溜まり、下部室３７に落下して底部に堆積した塵埃や砂等の夾雑物はドレン抜き取り口３７２から随時取り出して排出される。
【００２５】
大雨などで、余剰の雨水２が流入した場合には、オーバーフロー筒３２から溢れて前室３３に流入し、オーバーフロー口３４から排出される。
【００２６】
この用水の処理工程において、筒状フイルター４が目詰りを起こしたとき、筒状フイルター４を新しいものと取り替えるか、洗浄して再使用することになる。軒樋で捕集した雨水を浄化処理する場合には、半年を目途にして浄化された用水の流れ状態を見て新しいものと取り替えたり、洗浄するとよい。
【００２７】
つぎに、図２、３に示した雨水浄化縦樋について説明する。
【００２８】
縦樋１は、バイパス流路を兼ねる副縦樋１００と併設してあり、上端には軒樋からの落とし口１０１などに接続できる流入口１１を設けてあり、屋根、軒樋、落とし口１０１などを経由して捕集された雨水２はこの流入口１１から流入する。  ここで副縦樋１００は排水口１０２に繋がっている。
【００２９】
この例では縦樋１は、ほとんど雨水浄化装置３そのものと言え、流入口１１の下部はそのまま長い濾過室３０２を形成し、濾過室３０２の上端部にオーバーフロー口３０３が、副縦樋１００に連結するように設けられている。
【００３０】
そして、濾過室３０２の下端は仕切板３０４により閉じられており、仕切板３０４の上方に大径部３０５および副縦樋１００に連通するドレン抜き孔３０６が形成され、このドレン抜き孔３０６は流量調整弁を備えているものが好ましい。
仕切板３０４の下は下部室３０７が形成され、下部室３０７には流出口３０８が設けられている。
【００３１】
この例における雨水浄化装置３は、図３に示すように星形の断面形状を有する筒状フイルター４を全長にわたり挿入した筒状本体３０１を主要部分として使用している。
【００３２】
筒状フイルター４は多孔質の筒壁の構造により濾過機能を有するものが使用でき、筒状本体３０１の内径に外接する多稜星形のものが、安定した挿入状態が得られるので好ましく、図１の例に示すようにに銀，銅等の金属イオンを担持させたゼオライト固体粒子を添加して、それ自体、殺菌効果を有するようにしたものがさらに好ましい。
【００３３】
各筒状フイルター４の上端部は天板などで閉塞され、各筒状フイルター４の下端部は仕切板３０４の上面と接続し、開口して下部室３０７と連通している。
【００３４】
この実施例における雨水浄化装置３では、流入口１１から落下した雨水２が濾過室３０２の筒状フイルター４の外周側と筒状本体３０１の間隙に流入し、大径部３０５を通過してドレン抜き孔３０６から副縦樋１００に流出する。
【００３５】
雨量が増加してドレン抜き孔３０６からの流出量を越えると、濾過室３０２の水位が上昇して、雨水２は筒状フイルター４の外周側から内周側にしみとおるように通過し、下部室３０７に流入し、流出口３０８から水槽などに導き、清浄な用水として各種用途に使用できる。
【００３６】
筒状フイルター４の無数の微細孔によって雨水２中に混入している塵埃や砂等の夾雑物が補捉されると共に、必要に応じ、雨水２は無数の微細孔等から露出したゼオライト固体粒子と接触して殺菌できるようにすれば、水槽内に長期間に亘って貯溜されることがあっても、藻類や雑菌が繁殖することはない。
【００３７】
そのとき、塵埃や砂等の夾雑物が補捉されて筒状フイルター４の外周側に残り、仕切板３０４の上面に落下して堆積する。
【００３８】
この塵埃や砂等の夾雑物は仕切板３０４の上側に設けられたドレン抜き孔３０６の流量を大きく調整することにより随時取り出して、副縦樋１００を通り排出口１０２から排出することができる。
【００３９】
大雨などで、余剰の雨水２が流入した場合には、水位が上昇した分、オーバーフロー口３０３から副縦樋１００を通り排出される。
【００４０】
【発明の効果】
以上詳述した如く、本発明は縦樋に、雨水を濾過する機能を有する雨水浄化装置を組み込んだことを特徴とする雨水浄化縦樋であるので、濾過のための特別な場所を必要とせずに、しかも充分な落差および長さを確保することにより、清浄な雨水を効率的に回収することができ、これを清浄な用水として使用でき、また必要に応じ、殺菌機能を付加すれば、長期間水槽に貯溜して、非常災害時の用水として使用する場合も藻類や雑菌の繁殖を抑えることができる。
【図面の簡単な説明】
【図１】本発明の一実施例を示す雨水浄化縦樋の概略断面図。
【図２】本発明の他の実施例を示す雨水浄化縦樋の概略断面図。
【図３】図２のIII-III 概略断面図である。
【符号の説明】
１    縦樋
２    雨水
３    雨水浄化装置
【図１】
0003720971.tif 000002
【図２】
0003720971.tif 000003
【図３】
0003720971.tif 000004